(57)【特許請求の範囲】
【請求項１】
ウオータージェット推進機（２）を有する船艇において、リバーサー（１３、１９）の外周面に送水チューブ（１７）の一端を配設してリバーサー（１３、１９）内部と連通させ、送水チューブ（１７）の他端を、反応タンク（３）に接続している送水管（１８）と連結させ、デフレクター（１１）の噴射口（１１ａ）の前面にリバーサー（１３、１９）を降下させて、ウオータージェット推進機（２）の吐出ケーシング（９）から噴射させる藻類発生水域の水をリバーサー（１３、１９）に衝突させ、さらに、その噴射圧により船倉部の反応タンク（３）に移送させる藻類の吸上げ装置（１５）を配設すると共に、反応タンク（３）に設置したオゾン供給装置（４）にオゾン発生装置（５）を連結したことを特徴とする藻類消滅船。
【請求項２】
上記藻類の吸上げ装置（１５）は、リバーサー（１３）の内周面に設けた漏斗状の導水口（１６）と、この導水口（１６）の後端に送水チューブ（１７）を介して連結した藻類の送水管（１８）とから構成してあることを特徴とする請求項１記載の藻類消滅船。
【請求項３】
上記藻類の吸上げ装置（１５）は、リバーサー（１３）の内周面に設けた多数の通孔（２０…）と、この通孔（２０）に連通するリバーサー（１９）の内部に形成した空洞（２１）と、この空洞（２１）に送水チューブ（１７）を介して連結した送水管（１８）とから構成してあることを特徴とする請求項１記載の藻類消滅船。
【発明の詳細な説明】
【０００１】
【発明の属する技術分野】
この発明は、湖沼や海域で発生するアオコ及び赤潮等の藻類を発生初期段階で効率良く消滅させる藻類消滅船に関する。
【０００２】
【従来の技術】
従来、アオコや赤潮などの藻類を死滅させる方法としては、オゾンの強力な酸化力による藻類細胞破壊での殺藻法、紫外線照射による遺伝子の突然変異や成長阻害での殺藻法、及び殺菌剤の添加による殺藻法などが実用化されている。そして、藻類発生個所での処理については、殺藻装置を船舶で曳航して実施している。また、殺藻装置を直接船舶に設置した専用船としては、水系に対し前方と下方が開放された浄化船に浮上分離装置とオゾン水製造装置を配設し、流入する用水中に加圧水を注入して濃縮回収し、流出する用水にオゾンを注入してプランクトンなどを死滅させる水系浄化専用船が、例えば、特開平９−１１８２９１号公報に記載してあるように公知である。
【０００３】
【発明が解決しようとする課題】
従来の紫外線照射による殺藻方法は、ＤＮＡの塩基に影響し、複製を阻止させるものであるが、対象水の透視度により効果に差異があり、藻類が可視光線で回復する場合もあり不確実な方式であった。また、薬剤添加による殺藻方法は、確実な殺藻効果は得られるが、残留物による水産資源への影響の恐れがあり、ランニングコストの点からも良好な殺藻方法とはいえない。また、オゾンによる殺藻方法は、藻類の細胞膜や核酸などを直接破壊して短時間で確実な効果があり、水産資源への影響がなく良好な殺藻方法であるが、上記の水路空間に浮上分離装置とオゾン水製造装置を配設した従来の水系浄化専用船は、船艇の自走速度や潮流速度、あるいは、潮流方向などに影響され、処理量が大きく変動して不安定となる場合があった。そして、自走によらず処理対象用水を吸引しようとした場合、用水を吸上げるための大容量のポンプ設備を設ける必要があった。また、捕捉する藻類は船艇に回収するものであり、回収した藻類の処理が必要であった。この発明は、船艇への藻類の吸上げ装置にジェット推進機を利用して、オゾンで藻類を死滅させる藻類消滅船を提供することを目的とする。
【０００４】
【課題を解決するための手段】
この発明の要旨とするところは、ウオータージェット推進機を有する船艇において、リバーサーの外周面に送水チューブの一端を配設してリバーサー内部と連通させ、送水チューブの他端を、反応タンクに接続している送水管と連結させ、デフレクターの噴射口の前面にリバーサーを降下させて、ウオータージェット推進機の吐出ケーシングから噴射させる藻類発生水域の水をリバーサーに衝突させ、さらに、その噴射圧により船倉部の反応タンクに移送させる藻類の吸上げ装置を配設すると共に、反応タンクに設置したオゾン供給装置にオゾン発生装置を連結したもので、赤潮などの藻類発生が確認された段階で藻類消滅船をウオータージェット推進機で現場に滑走させ、その場で殺藻することにより藻類の発生範囲の狭い状況での処理となり、藻類の増殖を防ぐことができ、即効性と安全性を持つオゾンによる殺藻処理が行える。また、オゾン供給装置が船倉に組込まれており、専用船の小型化を図れるだけでなく、重心が低くなり処理中の船艇が安定するものである。
【０００５】
上記藻類の吸上げ装置は、デフレクターの噴射口に対設するリバーサーの内周面に設けた漏斗状の導水口と、この導水口の後端に送水チューブを介して連結した藻類の送水管とから構成してあり、水面近傍から藻類を含む水を吸引して、吐出しケーシングの吐出口から噴射される加圧水をリバーサーで受け止めて、噴射圧により送水管から反応タンクに藻類の吸上げを行なうものである。吸引された藻類を含む噴出水が、デフレクターの噴射口の前面に対設するリバーサーに衝突して、その衝撃力により藻類の細胞が傷つき、あるいは、破壊される。また、藻類の吸上げ装置は、デフレクターの噴射口に対設するリバーサーの内周面に設けた多数の通孔と、この通孔に連通するリバーサーの内部に形成した空洞と、この空洞に送水チューブを介して連結した送水管とから構成してもよいもので、吸引された藻類を含む噴出水が、多数の通孔に衝突して衝撃力が大きくなり、殺藻効果が得られるものである。そして、ウオータージェット推進機を吸上げ装置として利用するので、大容量のポンプ設備を設ける必要がなくなる。なお、ウオータージェット推進機による噴射水をオゾン供給装置に取り込んでオゾン水を反応タンクに供給してもよいものである。
【０００６】
【発明の実施の形態】
この発明に係る藻類消滅船は上記のように構成してあり、湖沼や海域などにアオコや赤潮などの藻類の発生が確認されると、ウオータージェット推進機を操作して藻類発生個所に藻類消滅船をすばやく移動し、ウオータージェット推進機を藻類の吸上げ装置として利用して浄化処理を開始する。先ず、吐出しケーシングの後進用のリバーサーを回動して、デフレクターの噴射口の開口度を小さくして船艇を微速走航させ、あるいはリバーサーでデフレクターの噴射口の前面を閉止して、リバーサーに衝突する噴射水をリバーサーの内周面に沿って反転させ、船艇を微速後進させながら、藻類発生水域の水を船底の吸込ケーシングの吸込口から吸引し、羽根車で加圧した加圧水を吐出しケーシングから噴射させる。次に、開閉シリンダーを操作してデフレクターの噴射口の前面に降下させたリバーサーに噴射水を衝突させ、その衝撃力により藻類の細胞を損傷させて破壊させる。なお、藻類消滅船は停船して、ウオータージェット推進機を殺藻装置への送水のみにも、あるいは、藻類発生水域での藻類消滅船の前進・後進の低速航走と併用しながら殺藻装置への送水も可能なものである。そして、吐出しケーシングの吐出口から噴射される加圧水をリバーサーで受け止めて、噴射水の噴射圧により藻類発生水域の水を送水管に圧入して噴射水を反応タンクに供給する。オゾン発生装置からのオゾンガスを反応タンクに供給し、オゾン反応処理を行なって藻類の発生初期に藻類の増殖を防止し、あるいは、死滅させる。殺藻した処理水は反応タンクからオーバーフローさせて、死滅した藻類をそのまま水域に返して拡散させる。なお、油回収時などの緊急時には、仮貯留タンクとしても使用することが可能となる。
【０００７】
【実施例】
この発明の藻類消滅船を実施例に基づき詳述すると、まず、図１はこの発明に係るウオータージェット推進機を配設した藻類消滅船の概略側面図であって、藻類消滅船１の船尾１ａにウオータージェット推進機２が配設してあり、藻類消滅船１の船倉を反応タンク３としてある。反応タンク３の槽底部にオゾン供給装置４が配設してあり、船艇１に搭載したオゾン発生装置５がオゾン供給装置４に連結してあり、オゾン発生装置５で生成したオゾンを反応タンク３の槽底部に供給するようにしてある。図２は藻類消滅船に配設したウオータージェット推進機であって、藻類消滅船１の船尾１ａの船底１ｂに開口した吸込ケーシング２３の吸込口６から吸引した水をポンプケーシング７に移送し、ポンプケーシング７に設けた羽根車８で加圧する。そして、羽根車８で加圧した旋回流を吐出しケーシング９の案内羽根１０で直線流として、吐出しケーシング９の吐出口９ａから加圧水を船尾後方に噴射して、その推力により藻類消滅船１を滑走させ、吐出しケーシング９の後部に設けたデフレクター１１を連結棒１２で左右に回動させて航走方向を切換えるようにしてある。
【０００８】
図２に示すように、デフレクター１１の後端上部に円弧状のリバーサー１３の一端が枢着してあり、このリバーサー１３を開閉シリンダー１４で上下に回動させて、リバーサー１３の円弧状の内周面でデフレクター１１の噴射口１１ａの前面に移動させるようにしてある。そして、デフレクター１１の噴射口１１ａの側面視が、傾斜状に上部を延設して傾斜状とした形状としてあり、破線で示すように、開閉シリンダー１４でリバーサー１３を下方に回動させて、デフレクター１１の噴射口１１ａの開口度を調節して船尾後方の水中に加圧水を噴射して微速前進させ、リバーサー１３をさらに下方に回動させて噴射口１１ａの開口度を小さくして、リバーサー１３の円弧状の内周面に衝突した噴射水を前進方向に反転させて水中に噴射し、前進航走のブレーキをかけて停船し、あるいは、後進航走を行なうようにしてある。
【０００９】
図２に示すように、ウオータージェット推進機２のリバーサー１３に噴射圧を利用して藻類の吸上げ装置１５が配設してあり、この吸上げ装置１５は、デフレクター１１の噴射口１１ａの前面に対設するリバーサー１３の内周面に設けた漏斗状の導水口１６と、この導水口１６に送水チューブ１７を介して連結した藻類の送水管１８とから構成してある。そして、船底１ｂの吸込ケーシング２３の吸込口６から吸引した藻類発生水域の水を羽根車８で加圧して、吐出しケーシング９の吐出口９ａから噴射した噴射水がデフレクター１１の噴射口１１ａの前面に降下させたリバーサー１３に衝突して、その衝撃力により藻類の細胞を損傷させ、あるいは、死滅させる。デフレクターの噴射口を遮るリバーサー１３で受け止めた噴射水を導水口１６に流入させ、噴射水の噴射圧により送水管１８に圧入して藻類発生水域の水を反応タンク３に供給するようにしてあり、衝撃力により損傷させた藻類の細胞膜にオゾンを反応させるので、相乗効果が得られ藻類を死滅させることができる。図３はウオータージェット推進機を利用した藻類の吸上げ装置の他の実施例であって、藻類の吸上げ装置１５は、デフレクター１１の噴射口１１ａに対設するリバーサー１９の内周面に設けた多数の通孔２０…と、この通孔２０に連通するリバーサー１９の内部に形成した空洞２１と、このリバーサー１９の空洞２１に送水チューブ１７を介して連結した藻類の送水管１８とから構成してある。吐出しケーシング９の吐出口９ａから噴射した噴射水をリバーサー１９の内周面で受け止めて、噴射水の噴射圧により藻類発生水域の水をリバーサー１９の多数の通孔２０…から空洞２１に圧入して送水管１８に圧送させるようにしてある。リバーサー１９の内周面の多数の通孔２０…は、衝突する藻類の衝撃を増加させるものである。
【００１０】
リバーサー１３に衝突してその衝撃力により細胞を損傷させた藻類は、送水管１８から圧送して反応タンク３に貯留される。オゾン発生装置５で生成したオゾンを反応タンク３の槽底のオゾン供給装置４に供給して、反応タンク３の槽底にオゾンを噴出させ、藻類の細胞膜や核酸などを直接破壊させるようにしてある。衝撃力により損傷させた藻類の細胞膜にオゾンを反応させるので、相乗効果が得られ藻類を死滅させることができる。そして、殺藻した処理水を反応タンク３からオーバーフローさせて、処理水管２２から死滅した藻類を水域に返して拡散させる。リバーサー１３でデフレクター１１の噴射口１１ａの開口度を小さくして、水中に噴射する一部の藻類も、リバーサー１３に衝突してその衝撃力により藻類の細胞を損傷させ、破壊させるので、増殖を阻害させて藻類消滅船１を微速前進あるいは後退航走させることができる。なお、ウオータージェット推進機２による噴射水をオゾン供給装置５に取り込んでオゾン水を反応タンク３に供給してもよいものである。また、油回収時などの緊急時には、仮貯留タンクとしても使用することが可能である。
【００１１】
【発明の効果】
この発明は、上記のように構成してあり、藻類消滅船にウオータージェット推進機を配設して、このウオータージェット推進機の吐出口の前面を遮るリバーサーに送水チューブを介して連結した藻類の送水管を配設し、送水管の他端を反応タンクに連結したので、赤潮などの藻類発生が確認された段階で専用船を藻類発生水域に航走させ、即効性と安全性を持つオゾンによる殺藻処理が行えるものである。そして、藻類発生水域に微速航走させながら殺藻することにより、藻類の発生範囲の狭い状況での処理が可能となり、藻類の増殖を防ぐことができる。即ち、従来の水路空間にオゾン水製造装置を配設した水系浄化専用船は、船艇の自走速度や潮流速度により処理量が大きく影響され、船艇に回収した藻類の処理が必要であった。また、自走によらず処理対象用水を吸引する場合は、用水を吸上げるための大容量のポンプ設備が必要であった。この発明にあっては、デフレクターの噴射口に対設するリバーサーの内周面に漏斗状の導水口を設け、この導水口の後端に送水チューブを介して連結した藻類の送水管を連結し、あるいは、リバーサーの内周面に設けた多数の通孔をリバーサーの内部の空洞に連通させてリバーサーの空洞に送水チューブを介して連結した送水管を連結し、吐出しケーシングから噴射される藻類発生水域の水を、その噴射圧により船倉部の反応タンクに移送して、反応タンクでオゾン反応処理を行なって藻類の発生初期において藻類を死滅させるもので、大容量のポンプ設備を設ける必要がないものである。そして、デフレクターの噴射口の前面に対設するリバーサーに噴射水が衝突して、その衝撃力により藻類の細胞が破壊されるもので、衝撃力により損傷させた藻類の細胞膜にオゾンを反応させるので、相乗効果が得られ、藻類を死滅させることができる。また、船倉に組込まれたオゾン供給装置は重心が低くなり、処理中の船艇が安定して、専用船の小型化が図れるものである。
【図面の簡単な説明】
【図１】  この発明に係るウオータージェット推進機を有する藻類消滅船のフローチャートである。
【図２】  同じく、藻類の吸上げ装置を配設したウオータージェット推進機の縦断側面図である。
【図３】  同じく、他の実施例のウオータージェット推進機の縦断側面図である。
【符号の説明】
２  ウオータージェット推進機
３  反応タンク
４  オゾン供給装置
５  オゾン発生装置
１１  デフレクター
１１ａ  噴射口
１３、１９  リバーサー
１５  吸上げ装置
１６  導水口
１８  送水管
２０  通孔
２１  空洞
【図１】
0004062398.tif 000002
【図２】
0004062398.tif 000003
【図３】
0004062398.tif 000004